(57)【要約】【課題】  電源をオンにしてから、数秒から数十秒の立ち上げ時間が発生するデジタル放送表示装置において、ユーザが立ち上げ時間を切り換え操作などに有効利用できるようにする。【解決手段】  デジタル放送表示装置１の電源をオンにすると、チューナ５は符号化されたデジタル放送信号を含んだ放送電波を受信し、デジタル放送信号をデジタル回路制御用マイコン７にて復号するために、数秒から数十秒の時間が必要である。この時間を利用して、立ち上げ終了と同時にユーザの所望の動作を行えるよう、チャンネルの選局及び音量の調節を行うためのＯＳＤ表示をし、メインマイコン２によって調整値を制御し、予約をすることで、ユーザは立ち上げ時の時間を有効に使用することができる。【選択図】      図１
2006345336.tif 000002
【特許請求の範囲】
【請求項１】
表示部を備え、電源オン時から入力されるデジタル放送信号によってデジタル放送映像が前記表示部に表示されるまでの立ち上がり時に予め記憶された所定の画像又は映像を表示する起動画面とし、前記表示部に表示される映像を、準備動作の完了時に前記起動画面から前記デジタル放送映像に切り換えるデジタル放送表示装置において、前記起動画面が表示されている間に、前記デジタル放送表示装置の各種動作の設定変更を受け付けると共に、前記起動画面から入力されるデジタル放送映像へ切り換える際、前記設定変更を実行する設定手段を備えたことを特徴とするデジタル放送表示装置。
【請求項２】
前記設定手段により前記設定変更を行う際、前記起動画面上に設定の変更に必要なパラメータの値を前記表示部にＯＳＤ（Ｏｎ  Ｓｃｒｅｅｎ  Ｄｉｓｐｌａｙ）表示するパラメータ表示手段を備えることを特徴とする請求項１に記載のデジタル放送表示装置。
【請求項３】
前記パラメータ表示手段によって表示される設定画面には、前記設定手段によって設定変更可能な項目と、設定変更不可能な項目とが表示され、これら設定変更可能な項目と設定変更不可能な項目は異なる表示形態であることを特徴とする請求項２に記載のデジタル放送表示装置。
【請求項４】
前記設定手段は、入力された映像を表示する際の音量の変更が可能であることを特徴とする請求項１〜３の何れか１項に記載のデジタル放送表示装置。
【請求項５】
前記設定手段は、受信したデジタル放送信号のチャンネルを変更が可能であることを特徴とする請求項１〜３の何れか１項に記載のデジタル放送表示装置。
【請求項６】
前記デジタル放送表示装置は複数の記憶再生装置を備え、前記設定手段は、前記デジタル放送表示装置が放送映像の録画をユーザにより指示された場合に使用する記憶再生装置を、前記複数の記憶再生装置から択一的に選択することが可能であることを特徴とする請求項１〜３の何れか１項に記載のデジタル放送表示装置。
【発明の詳細な説明】
【技術分野】
【０００１】
本発明は、デジタル放送を受信し映像を表示するデジタル放送表示装置であり、特に立ち上げ時に所定の画像又は映像からなる起動画面を表示するデジタル放送表示装置において、起動画面を表示する間にデジタル放送表示装置の動作の設定変更が可能なデジタル放送表示装置に関する。
【背景技術】
【０００２】
従来、デジタル放送を受信し、放送番組を表示するデジタル放送表示装置において、放送電波に含まれるデジタル放送信号は符号化がされており、それを復号（伸長）するためには、数秒から数十秒の処理時間を要している。この間、ユーザはデジタル放送表示装置の操作をすることができず、故障してしまうと勘違いをしたり、違和感を覚えることがあった。これを解決するために、種々の文献が開示されている。
【０００３】
例えば特許文献１では、デジタル放送を受信可能な受信機において、電源オンもしくはチャンネル切換時の待ち時間の間、受信機が正常に動作していることをユーザにしらせるため、保留音を断続的に発生させ、残り待ち時間の長さに比例して断続ピッチを変更するという方法が開示されている。
【０００４】
【特許文献１】特開２００１−７７２２号公報
【発明の開示】
【発明が解決しようとする課題】
【０００５】
しかしながら、特許文献１の方法では、受信機が通常利用可能となる状態になったことを知らせることはできても、通常利用可能となるまで、ユーザは所望の放送局の選択などの受信機の設定を変更することができず、このような、無駄なロスタイムを有効利用することはユーザの利便性の向上となる。
【０００６】
本発明は上記課題を鑑みてなされたものであり、デジタル放送を受信可能なデジタル放送表示装置において、電源をオンにしてから通常利用可能な状態になるまでの間に、事前にデジタル放送表示装置の動作設定を行うことができるデジタル放送表示装置を提供することを目的とする。
【課題を解決するための手段】
【０００７】
請求項１に係るデジタル放送表示装置は、表示部を備え、電源オン時から入力されるデジタル放送信号によって前記表示部にデジタル放送映像が表示されるまでの立ち上がり時に予め記憶された所定の画像又は映像を表示する起動画面とし、前記表示部に表示される映像を、準備動作の完了時に前記起動画面から前記デジタル放送映像に切り換えるデジタル放送表示装置において、前記起動画面が表示されている間に、前記デジタル放送表示装置の各種動作の設定変更を受け付けると共に、前記起動画面から入力されるデジタル放送信号によって表示されるデジタル放送映像へ切り換える際、前記設定変更を実行する設定手段を備えたことを特徴とする。
【０００８】
請求項１の構成によれば、デジタル放送表示装置において、電源を入れてから、符号化されたデジタル放送信号を復号し表示部に放送番組を表示することができるようになるまでに必要な立ち上げ時間中に起動ロゴやスプラッシュスクリーン等の所定の起動画面を表示部に表示する間に、立ち上げ時間が終了した時におけるデジタル放送表示装置の動作設定の変更を予約することができ、放送番組を表示する際に設定した動作を速やかに反映することができる。
【０００９】
請求項２に係るデジタル放送表示装置は、請求項１に記載のデジタル放送表示装置において、前記設定手段により前記設定変更を行う際、前記起動画面上に設定の変更に必要なパラメータの値を前記表示部にＯＳＤ（Ｏｎ  Ｓｃｒｅｅｎ  Ｄｉｓｐｌａｙ）表示するパラメータ表示手段を備えることを特徴とする。
【００１０】
請求項２の構成によれば、デジタル放送表示装置の立ち上がり中に、所定の起動画面を表示する際に、デジタル放送表示装置の設定を変更する時に、変更したパラメータの値を起動画面に重畳させてＯＳＤ表示することができる。
【００１１】
請求項３に係るデジタル放送表示装置は、請求項２に記載のデジタル放送表示装置において、前記パラメータ表示手段によって表示される設定画面には、前記設定手段によって設定変更可能な項目と、設定変更不可能な項目とが表示され、これら設定変更可能な項目と設定変更不可能な項目は異なる表示形態であることを特徴とする。
【００１２】
請求項３の構成によれば、前記パラメータ表示手段によって表示されるＯＳＤ表示において、ユーザによる変更可能な項目と不可能な項目とを、例えば表示色をそれぞれ相違な色としたり、変更可能な項目を点滅させ、変更不可能な項目を点灯させるなどの、異なる表示形態とすることで、変更可能な項目か否かを容易に識別することができる。
【００１３】
請求項４に係るデジタル放送表示装置は、請求項１〜３の何れか１項に記載のデジタル放送表示装置において、前記設定手段は、入力された映像を表示する際の音量の変更が可能であることを特徴とする。
【００１４】
請求項４の構成によれば、デジタル放送表示装置の動作の設定として音量の調節機能を備え、デジタル放送表示装置の立ち上げ中の所定の起動画面を表示している間、音量の変更を予約することができる。
【００１５】
請求項５に係るデジタル放送表示装置は、請求項１〜３の何れか１項に記載のデジタル放送表示装置において、前記設定手段は、受信したデジタル放送信号のチャンネルを変更が可能であることを特徴とする。
【００１６】
請求項５の構成によれば、デジタル放送表示装置の動作の設定としてチャンネル選局機能を備え、デジタル放送表示装置の立ち上げ中の所定の起動画面を表示している間、チャンネルの変更を予約することができる。
【００１７】
請求項６に係るデジタル放送表示装置は、請求項１〜３の何れか１項に記載のデジタル放送表示装置において、前記デジタル放送表示装置は複数の記憶再生装置を備え、前記設定手段は、前記デジタル放送受信装が放送映像の録画をユーザにより指示された場合に使用する記憶再生装置を、前記複数の記憶再生装置から択一的に選択することが可能であることを特徴とする。
【００１８】
請求項６の構成によれば、デジタル放送表示装置は、受信した放送映像を録画再生するための記憶再生装置を複数備え、デジタル放送表示装置の立ち上げ中の起動画面が表示されている間に使用する記憶再生装置を選択することができる。
【発明の効果】
【００１９】
請求項１に係るデジタル放送表示装置は、表示部を備え、電源オン時から入力されるデジタル放送信号によって前記表示部にデジタル放送映像が表示されるまでの立ち上がり時に予め記憶された所定の画像又は映像を表示する起動画面とし、前記表示部に表示される映像を、準備動作の完了時に前記起動画面から前記デジタル放送映像に切り換えるデジタル放送表示装置において、前記起動画面が表示されている間に、前記デジタル放送表示装置の各種動作の設定変更を受け付けると共に、前記起動画面から入力されるデジタル放送信号によって表示されるデジタル放送映像へ切り換える際、前記設定変更を実行する設定手段を備えるので、デジタル放送表示装置の立ち上がり中であることを示す所定の起動画面を表示した状態において、デジタル放送表示装置の動作の設定を変更することにより、準備動作が完了し起動画面からデジタル放送映像に切り換わる際に、ユーザの嗜好や視聴時の環境にあった設定でデジタル放送映像を視聴することができ、デジタル放送映像が表示されてから動作の設定を変更する場合よりも、ユーザを束縛する時間が少ない。
【００２０】
請求項２に係るデジタル放送表示装置は、請求項１に記載のデジタル放送表示装置において、前記設定手段により前記設定変更を行う際、前記起動画面上に設定の変更に必要なパラメータの値を前記デジタル放送表示装置に備えた表示部にＯＳＤ（Ｏｎ  Ｓｃｒｅｅｎ  Ｄｉｓｐｌａｙ）表示するパラメータ表示手段を備えるので、デジタル放送表示装置の立ち上がり時に表示される所定の起動画面に重ねて動作の設定を数字として表現したパラメータの値をＯＳＤ表示することにより、ユーザが容易にパラメータの設定値を識別することができる。
【００２１】
請求項３に係るデジタル放送表示装置は、請求項２に記載のデジタル放送表示装置において、前記パラメータ表示手段によって表示される設定画面には、前記設定手段によって設定変更可能な項目と、設定変更不可能な項目とが表示され、これら設定変更可能な項目と設定変更不可能な項目は異なる表示形態であるので、ユーザが起動画面表示の際に動作の設定を調整するためにパラメータを変更する場合、表示されたＯＳＤ表示の内のどの項目が設定可能で、どの項目が設定不可能なのかを、一瞥して判断することができる。
【００２２】
請求項４に係るデジタル放送表示装置は、請求項１〜３の何れか１項に記載のデジタル放送表示装置において、前記設定手段は、入力された映像を表示する際の音量の変更が可能であるので、デジタル放送表示装置が符号化されたデジタル放送信号の復号が完了し、デジタル放送番組を表示部に表示する前に、ユーザは自分の嗜好や視聴時の環境に合わせて音量を調節することができる。
【００２３】
請求項５に係るデジタル放送表示装置は、請求項１〜３の何れか１項に記載のデジタル放送表示装置において、前記設定手段は、受信したデジタル放送信号のチャンネルを変更が可能であるので、デジタル放送表示装置が符号化されたデジタル放送信号の復号が完了し、デジタル放送番組を表示部に表示する前に、ユーザは事前にチャンネルの選局を行うことができ、表示部にデジタル放送映像を表示することが可能な状態になった時に、即座に選局したチャンネルを表示することができる。
【００２４】
請求項６に係るデジタル放送表示装置は、請求項１〜３の何れか１項に記載のデジタル放送表示装置において、前記デジタル放送表示装置は複数の記憶再生装置を備え、前記設定手段は、前記デジタル放送表示装置が放送映像の録画をユーザにより指示された場合に使用する記憶再生装置を、前記複数の記憶再生装置から択一的に選択することが可能であるので、例えばＤＶＤ（Ｄｉｇｉｔａｌ  Ｖｅｒｓａｔｉｌｅ  Ｄｉｓｋ）レコーダーとＨＤＤ（Ｈａｒｄ  Ｄｉｓｋ  Ｄｒｉｖｅ）レコーダーの双方を備える複合機において、複合機の電源をオンにした際の、立ち上げ中を示す起動画面が表示されている間に、ＤＶＤレコーダーとＨＤＤレコーダーの何れか一方を予め選択しておくことで、所望の放送番組を録画する際に、改めて記憶再生装置を選択する必要がなくなり、任意のタイミングでユーザが録画を所望した場合、少ない操作で記憶再生装置による録画を行うことができる。
【発明を実施するための最良の形態】
【００２５】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【実施例１】
【００２６】
図１〜図３は、本発明の実施例１を示し、図１は、本実施例におけるデジタル放送を受信可能なデジタル放送表示装置の構成を示すブロック図である。図２は本実施例におけるデジタル放送表示装置の動作を示すフローチャート図である。図３は、デジタル放送表示装置の立ち上げ時の起動画面における本発明を実施した状態を示す、表示部の正面図である。
【００２７】
本実施例の構成について、図１に基づいて説明する。１は本実施例におけるデジタル放送表示装置である。２はデジタル放送表示装置１の制御を行うメインマイコンであり、メインマイコン２に記憶するプログラムは、変更されたパラメータの値や、ユーザ情報として記憶されている前回電源オフ時に設定されていたデジタル放送表示装置１の設定を行う制御部／判断部２ａ、制御／判断部２ａに指示を行う指示部２ｂ、表示する映像に重畳させるＯＳＤデータを生成するＯＳＤデータ作成部２ｃ、時刻やメインマイコン２の処理に必要な時間計測などを行うタイマーカウント部２ｄ、メインマイコン２の各種パラメータを記憶するメモリ部２ｅから構成される。３は、メインマイコン２によって作成されたＯＳＤデータを、放送映像信号に重畳させる画面制御部である。４は画面制御部３により生成された映像信号を表示する表示部である。５は放送電波に重畳される符号化されたデジタル放送信号を受信するチューナで、６は該放送信号を増幅するためのＩＦ回路である。７はＩＦ回路を通して増幅した符号化されたデジタル放送信号を復号するためのデジタル回路制御用マイコンである。９は、メインマイコン２に電源を供給する電源部である。メインマイコン２に備えるメモリ部２ｅはメモリ部詳細例８に示すように、メモリ部２ｅが記憶するデータの一例を示しており、ユーザ情報や、チャンネルプラン、その他デフォルトデータ等を記憶している。
【００２８】
次に、本実施例におけるデジタル放送表示装置１の動作について、図２に基づいて説明する。最初にデジタル放送表示装置１の主電源をオンにする（Ｓ１）。符号化されたデジタル放送信号を含んだ放送電波がチューナ５及びＩＦ回路６を通してデジタル回路制御用マイコン７に送られ、デジタル放送受信処理が開始される（Ｓ２）。符号化されたデジタル放送信号を抽出し、復号（伸長）を開始すると同時に、メモリ部８から前回デジタル放送表示装置１の電源オフにしたときに選局していたチャンネル及び音量を取得し、それに基づきＯＳＤデータを作成する（Ｓ３）。メモリ部８に記憶された起動ロゴ若しくはスプラッシュスクリーン等の起動画面を画面制御部３に送ると共に、ステップＳ２で作成したＯＳＤデータを画面制御部３により、起動画面に重畳させ、表示部４により表示する（Ｓ４）。このとき、チャンネルを示すＯＳＤ表示及び音量を示すＯＳＤ表示は変更可能であることを示すため、他の設定不可能な項目や通常利用時のＯＳＤ表示色とは異なる色で表示されている。デジタル放送表示装置１に備える操作部やリモコンにて、チャンネルの選局が行われたかどうかを判別し（Ｓ５）、行われた場合は入力された所望のチャンネルを設定する（Ｓ６）。同様に、音量の調整が行われたかを判別し（Ｓ７）、行われた場合は、入力された所望の音量にてデジタル放送表示装置１の動作設定を変更する（Ｓ８）。その後、デジタル放送受信処理が完了したかどうかを判別し（Ｓ９）、未完の場合は、チャンネル及び音量の変更を受け付ける状態を維持し、完了した場合は、チャンネル及び音量を通常利用可能な状態のＯＳＤ表示色に戻し（Ｓ１０）、設定したチャンネル及び音量にて表示部にデジタル放送を行い（Ｓ１１）、デジタル放送表示装置１は通常利用可能な状態とする。
【００２９】
次に、本実施例における本発明であるデジタル放送表示装置の画面を、図３に基づいて説明する。図３（ａ）は、デジタル放送表示装置１の電源をオンにした直後である、デジタル放送表示装置１の表示部４を示す正面図である。画面左上には現在時刻（「ＡＭ１０：１０」と表示）、右上には選局予定であるチャンネル（「ＣＨ１０」と表示）、左下には音量を示す数字（「音量  ４０」と表示）がそれぞれＯＳＤ表示されている。この時、右上のチャンネル及び左下の音量は、通常のＯＳＤ表示色とは異なる色で表示されている。これは、設定の変更が可能である状態を示すものである。この異なる色で表示されている項目は、図示しないデジタル放送表示装置の操作部若しくはリモコンによる、設定の変更が可能である。図３（ｂ）は（ａ）に示す状態から、表示予定のチャンネルをＣＨ１０からＣＨ５へ、音量を４０から３０に変更したデジタル放送表示装置１の表示部３の例を示す正面図である。チャンネルの変更はチャンネルナンバーの直接入力か、チャンネルＵＰ／ＤＯＷＮキーを、音量の変更はボリュームＵＰ／ＤＯＷＮキーを用いて行う。デジタル放送受信処理が完了した場合、チャンネル及び音量を示すＯＳＤ表示が通常色に戻し、ユーザにデジタル放送受信処理の完了を通知する。この後、設定した音量にて、選局したデジタル放送の視聴が可能となる。
【００３０】
以上のように構成した本実施例によれば、ユーザは電源をオンにした際に表示される起動ロゴ若しくはスプラッシュスクリーン等の起動画面に重畳して表示するチャンネル及び音量により、電源オン時のデジタル放送表示装置の設定状態を把握することができる。また、設定可能な項目であるチャンネル及び音量を、設定不可項目である時刻や通常のＯＳＤ表示色と異なる色で表示することにより、ユーザは、チャンネル及び音量が現在設定可能な状態か否かを容易に判断し、所望のチャンネルの選局及び音量の設定が可能となる。これにより、ユーザはデジタル放送表示装置が利用可能になるまでの時間を有効に使用することができる。また、上記機能により、複数のユーザが、異なる時間において使用する場合でも、デジタル放送が表示部に映り、音声が出力される前に、視聴したいチャンネル及び嗜好や時刻などの環境に合った音量に設定することができる。
【実施例２】
【００３１】
図４は本発明の実施例２を示したものであり、前記実施例１と同一部分には同一符号を付し、その詳細な説明を省略する。実施例１ではデジタル放送表示装置１はデジタル放送信号を受信可能なデジタル放送表示装置の場合を示したが、本実施例では、デジタル放送表示装置１をＤＶＤ（Ｄｅｇｉｔａｌ  Ｖｅｒｓａｔｉｌｅ  Ｄｉｓｋ）レコーダー及びＨＤＤ（Ｈａｒｄ  Ｄｉｓｋ  Ｄｒｉｖｅ）レコーダーといった、複数の録画装置を備えたデジタル放送信号を受信可能な複合機を示す。このような複合機は、入力される映像信号を録画する場合に、ＤＶＤとＨＤＤのどちらに録画するかをユーザが任意に切り換えるが、この選択を複合機の電源をオンにした際の所定の映像を表示する際に設定可能とした。この録画装置を切り換える方法について、図４に基づいて説明する。図４（ａ）は、本実施例における電源をオンにした際のデジタル放送受信処理中の複合機の表示部の正面図である。画面右下に録画モード（「ＤＶＤモード」と表示）がＯＳＤ表示されており、変更不可能な項目である時刻とは異なる色で表示されている。図示しない複合機の操作部若しくはリモコンが備えるモード切換キーを押すことにより、「ＤＶＤモード」と「ＨＤＤモード」を交互に切り換える。図４（ｂ）は「ＤＶＤモード」から「ＨＤＤモード」へ切り換えた状態を示めす。画面右下コーナーが「ＤＶＤモード」から「ＨＤＤモード」に変更されていることが確認できる。これにより、ユーザが特別な設定を行わずに複合機に録画を指示した場合、録画媒体としてＨＤＤを選択するようになる。デジタル放送受信処理が完了したら、録画モードのＯＳＤ表示色を通常色に戻す。これにより、ユーザは、複合機が利用可能になるまでの時間を有効に使うことができる。更にデジタル放送受信処理の完了を容易に把握することができる。
【００３２】
本発明の実施例について詳述したが、本発明の前記各実施例に限定されるものではなく、本発明の要旨の範囲内で種々の変形実施は可能である。例えば、設定可能な状態である項目のＯＳＤ表示色を、通常色とは別の色とするとしたが、これに限定せずに、例えば設定可能な項目を点滅表示させてもよい。また、音量を数字によって表示するとしたが、バー表示をし、それにより音量調整を行っても、何ら問題は無い。また、実施例２において、録画装置であるＤＶＤレコーダー及びＨＤＤレコーダーの切り換えについて詳述したが、特にこれに限定せず、他の録画方式における録画媒体の切り換えや、複数の放送方式に対応するチューナを備える場合における放送方式の切り換えなどに応用しても何ら問題はない。
【図面の簡単な説明】
【００３３】
【図１】本発明の実施例１における、デジタル放送表示装置の構成を示すブロック図である。
【図２】同上、デジタル放送表示装置の電源オン時の動作を示すフローチャート図である。
【図３】同上、デジタル放送表示装置の表示部を示す正面図である。
【図４】本発明の実施例２における、複合機の表示部を示す正面図である。
【符号の説明】
【００３４】
１    デジタル放送表示装置
２    メインマイコン（設定手段）
２ｃ  ＯＳＤデータ作成部（パラメータ表示手段）
【図１】
2006345336.tif 000003
【図２】
2006345336.tif 000004
【図３】
2006345336.tif 000005
【図４】
2006345336.tif 000006